(57)【要約】【課題】使用者の興味を長時間維持可能な高い遊戯性を備えさせると共に、ストレスを発散する。【解決手段】本装置１を、所定量Ｗ１の粒状体３と、粒状体３に加えることによって所定の粘性で粒状体３を液状化させる所定量Ｗ２の液体５と、粒状体３と液体５とを収納して密閉するように透明材料で円筒形状に形成された収納容器７とを有するように構成する。収納容器７を水平方向に傾斜させながら筒軸周りに回動させ、回動によって、液状化させた粒状体３を収納容器７の内周面上で流動させ、内周面に、流動軌跡に沿って付着させた粒状体３による点描模様を描く。そして、点描模様を描いた状態で、収納容器７の側面に打撃を加えることによって、付着状態を維持させながら粒状体３を打撃位置周辺に寄り集め、さらに収納容器７に粒状体３の付着力より強い打撃を加えることによって、付着した粒状体３を落下させる。【選択図】図２
2006055636.tif 000002
【特許請求の範囲】
【請求項１】
所定量の粒状体と、粒状体に加えることによって所定の粘性で粒状体を液状化させる所定量の液体と、前記粒状体と前記液体とを封入して密閉するように透明材料で形成された収納容器と、を有してなり、
回動によって、液状化させた粒状体を収納容器の内周面上で流動させ、内周面に、流動軌跡に沿って付着させた粒状体による点描模様を描く、
ことを特徴とする点描模様描画遊具。
【請求項２】
収納容器の少なくとも一方の筒端に回動支持用の把持部を設けてなる、
ことを特徴とする請求項１に記載の点描模様描画遊具。
【請求項３】
粒状体が、粒径１．８ｍｍ〜２．０ｍｍのガラス玉である、
ことを特徴とする請求項１または２に記載の点描模様描画遊具。
【請求項４】
把持部が、収納容器の筒端に着脱可能に設けられると共に収納容器内を照らす照明手段を内蔵してなる、
ことを特徴とする請求項２または３に記載の点描模様描画遊具。
【請求項５】
照明手段が、収納容器内へ紫外線を照射するブラックライトを含んでなり、
粒状体が、紫外線の照射によって蛍光色発光する蛍光材を有する蛍光玉を含んでなる、
ことを特徴とする請求項４に記載の点描模様描画遊具。
【請求項６】
収納容器の少なくとも一方の筒端側に、収納容器を吊り下げる吊下部を設けてなる、
ことを特徴とする請求項１乃至５のいずれかに記載の点描模様描画遊具。
【発明の詳細な説明】
【技術分野】
【０００１】
本発明は、粒状体を透明材料からなる収納容器に封入し、収納容器の内周面上に粒状体による点描模様を描く点描模様描画遊具に関する。
【背景技術】
【０００２】
従来、動力を使用せずに粒体の落流、流出等の諸動作の興趣を表現する玩具や装置としては、砂時計を始め、例えば特許文献１のように、透明窓を有する筒体内に流体の流出口を設けたスクリーン板を配置してなり、スクリーン板の背景画の前側をビーズ等の流体を流出口から落流させる落流動作によって、ミニチュアの滝等を表現する落流玩具等がある。この落流玩具によれば、簡潔な装置構成により、滝や噴水をリアルに表現して、興趣を醸成できる。
【０００３】
【特許文献１】特開平０５−０３１２６１号公報
【発明の開示】
【発明が解決しようとする課題】
【０００４】
しかし、この落流玩具では、落流動作に対してのみ、上述の効果が発揮されるものである。すなわち、この効果を得る為には、粒体を落流させる事前動作として、落流した粒体を還流室を通過させて粒体受皿に集積させる還流動作が不可欠であり、この還流動作と落流動作との一連動作によって初めて所望の興趣を得ることができるものである。
ところが、この還流動作については、還流室がスクリーン板の背後に隠れて見えない構造上、粒体が還流室を通過する様子を眺めることもできず面白味に欠ける動作であり、また落流動作の間に遊戯者の意志とは無関係に必ず行われることとなる補助的な動作形態である。したがって、この還流動作を行う遊戯者の中には、落流動作の興趣の流れが途中で途切れる印象を持つ者や、他事に興味が移る者等も表われ、本玩具に対してストレスが溜まったり興醒めしたりする恐れがある点で問題があった。
また、落流動作についても、予め決められた位置の流出口から粒体を落流させるだけの単純な動作形態であるため、たとえ背景画に絵はがき等を使用したとしても、この落流動作のみを単に眺めるだけでは動作形態の変化が乏しく、本玩具に対して短時間で飽きてしまうことがある点で問題があった。
【０００５】
そこで、本発明は上記問題点に鑑み、一連の動作形態について、面白味に欠ける補助的な動作形態及び単純な動作形態を無くして、遊戯者の興味を長時間維持可能な高い遊戯性を備えると共に、ストレスを発散できる点描模様描画遊具を提供することを課題とする。
【課題を解決するための手段】
【０００６】
上記課題を解決するため、請求項１の発明に係る点描模様描画遊具は、所定量の粒状体と、粒状体に加えることによって所定の粘性で粒状体を液状化させる所定量の液体と、前記粒状体と前記液体とを封入して密閉するように透明材料で形成された収納容器と、を有してなり、回動によって、液状化させた粒状体を収納容器の内周面上で流動させ、内周面に、流動軌跡に沿って付着させた粒状体による点描模様を描くように構成される。ここで、所定の粘性で粒状体を液状化させるとは、粒状体が、個々の形状を維持したまま、あたかも所定の粘性を備えた液体のような挙動をとることをいう。
【０００７】
請求項２の発明に係る点描模様描画遊具は、収納容器の少なくとも一方の筒端に回動支持用の把持部を設けてなるように構成される。
【０００８】
請求項３の発明に係る点描模様描画遊具は、粒状体が、粒径１．８ｍｍ〜２．０ｍｍのガラス玉であるように構成される。
【０００９】
請求項４の発明に係る点描模様描画遊具は、把持部が、収納容器の筒端に着脱可能に設けられると共に収納容器内を照らす照明手段を内蔵してなるように構成される。
【００１０】
請求項５の発明に係る点描模様描画遊具は、照明手段が、収納容器内へ紫外線を照射するブラックライトを含んでなり、粒状体が、紫外線の照射によって蛍光色発光する蛍光材を有する蛍光玉を含んでなるように構成される。
【００１１】
請求項６の発明に係る点描模様描画遊具は、収納容器の少なくとも一方の筒端側に、収納容器を吊り下げる吊下部を設けてなるように構成される。
【発明の効果】
【００１２】
請求項１の発明によれば、一連の動作形態について、面白味に欠ける補助的な動作形態及び単純な動作形態を無くして、遊戯者の興味を長時間維持可能となるような高い遊戯性を切れ目無く連続的に得ることができる。
【００１３】
請求項２の発明によれば、収納容器の一方筒端に回動支持用の把持部を設けたので、収納容器を安定させた状態で把持することができる。
【００１４】
請求項３の発明によれば、簡単かつ安価に入手でき製造コストを低減できる。
【００１５】
請求項４の発明によれば、粒状体の挙動や点描模様に色彩変化を加えることができ、各工程の視覚的な興趣を高め、癒しを得ることが可能となる。
【００１６】
請求項５の発明によれば、趣の異なる神秘的な色合いを楽しむことができる。
【００１７】
請求項６の発明によれば、不注意による本遊具の落下を防止可能となる。加えて、例えば部屋の中では、天井から吊り下げることが可能となり、照明手段を動作させれば、部屋等、周囲の雰囲気を変化させることが可能となる。
【発明を実施するための最良の形態】
【００１８】
以下、本発明に係る実施の形態を図面に基づいて説明する。
図１は、点描模様描画遊具（以下、本遊具とする）の一実施形態を示す斜視説明図である。本遊具１は、所定量Ｗ１の粒状体３と、粒状体３に加えることによって所定の粘性で粒状体３を液状化させる所定量Ｗ２の液体５と、前記粒状体３と前記液体５とを収納して密閉するように透明材料で円筒形状に形成された収納容器７とを有するように構成されている。
【００１９】
粒状体３としては、粒径１．８ｍｍ〜２．０ｍｍのガラス玉が使用されている。また液体５としては、例えば無色透明な水道水が使用されている。また収納容器７は、筒内径Ｄ及び筒長さＬの円筒形状に形成された胴部１０を備え、その胴部１０の一方端には角を丸く面取りしてなる底部１１が形成され、また他方端には、その全周に亘って絞り込み形成された絞込部１２を介して、胴部１０よりも小径の円盤状に形成された把持部１３が設けられている。収納容器７は、例えば厚肉の無色透明ガラスによって、胴部１０、底部１１、絞込部１２及び把持部１３が一体形成され、粒状体３と液体５とを密閉した状態で収納している。
【００２０】
本遊具１において、胴部１０は、例えば筒長さＬが１３０ｍｍ、筒内径Ｄが８０ｍｍとなるように形成されている。この時、胴部１０の筒内側面の面積Ａは、π×Ｄ×Ｌから算出され約３２６６０ｍｍ2となっている。収納容器７に収納される粒状体３の所定量Ｗ１は、この面積Ａの半分の面積Ａ／２に対して重なること無く密に敷き詰め可能となることが望ましく、その際に必要となる粒数から換算され重量で表わされる。
【００２１】
ここで表１は、収納容器７に収納される粒状体３の粒色、粒径等を示す構成配分表である。
【表１】
2006055636.tif 000003
【００２２】
表１のように、収納容器７には、粒径が約１．８ｍｍ及び約２．０ｍｍの２種類の粒状体３が収納されている。粒径１．８ｍｍの場合、一個の粒状体３の体積は約３．１ｍｍ3となり、粒径２．０ｍｍの場合、同様に約４．２ｍｍ3となる。よって、面積Ａ／２に対して換算される粒状体３の粒数は約４２００個となり、ガラス材料の比重を２．５として、収納容器７に収納される粒状体３の所定量Ｗ１は約４４ｇとなっている。また液体５の所定量Ｗ２は、粒状体３に加えることによって所定の粘性で粒状体３を液状化させるために、粒状体３の所定量Ｗ１に対して１１〜１２％の重量とすることが望ましい。本遊具１では、液体５の所定量Ｗ２は、粒状体３の所定量Ｗ１に対して、特に約１１．３％の重量に相当する約５ｇとなっている。
【００２３】
次に、本遊具１の一遊戯形態を説明する。図２（ａ）〜（ｆ）は、本遊具１の遊戯工程説明図である。
先ず、遊戯者は、本遊具１の把持部１３を例えば左手で把持し、収納容器７の底部１１が下面となるように本遊具１を鉛直方向に立てる。把持した本遊具１を手首のスナップを効かせて回転させ、粒状体３と液体５とを底部１１に集める（準備工程、図２（ａ））。次に、右手で底部１１を支持しながら左右両手の高さを調整することによって、収納容器７を水平方向にゆっくり傾斜させる。そして液状化させた粒状体３を底部１１から胴部１０の内周面へ流出させ、さらに右手で底部１１を筒軸周りに回動させる（回動工程、図２（ｂ））。
【００２４】
この回動工程によって、液状化させた粒状体３の流出先端を内周面に対して望む方向に向け、内周面上で粒状体３を流動させる。ここで、回動工程における傾斜操作及び回動操作の際、粒状体３及び液体５は、常に円筒内周面上の最も低い位置に集まろうと流動する。この時、隣接する粒状体３同士及び内周面との接触部分にはいわゆる毛細管現象によって液体５が介在するため、粒状体３には、液体５の表面張力による動作抵抗が生ずる。すなわち、この動作抵抗によって、粒状体３は、液体５よりも流れ難く流動性が低下することになる。よって、粒状体３の中には、傾斜操作及び回動操作による液体５の流動動作に追従できずに、液体５の流動動作から取り残されるものが発生する。このように内周面上に取り残された粒状体３は、内周面上に流動軌跡に沿って付着し点描模様を描画する（描画工程、図２（ｃ），（ｄ））。
【００２５】
次に、内周面上に点描模様を描画した状態で、把持部１３又は胴部１０を左手で把持し、本遊具１を鉛直方向に立てる。本遊具１を把持した状態で、右手の手のひら又は握り拳で収納容器７の胴部１０の側面に打撃を任意の回数だけ軽く加えることによって、内周面に付着した状態を維持させながら粒状体３を打撃位置周辺に徐々に集める（集合工程、図２（ｅ））。
【００２６】
特に、集合工程の際に、胴部１０の側面の一方向からのみ打撃を任意の回数だけ加えることによって、その打撃位置周辺の内周面上に粒状体３を全て集合させる。その集合位置の側面に対して対向する胴部１０の側面に、粒状体３の付着力より強い打撃を加えることによって、付着した粒状体３を底部１１に落下させる（落下工程、図２（ｆ））。
上述のように、本遊具１は、描画前の準備工程の後、回動工程、描画工程、集合工程及び落下工程からなる一連の動作形態を繰返し実行するものである。
【００２７】
以上の如く構成された本遊具１においては、収納容器７の一方筒端に回動支持用の把持部１３を設けたので、収納容器７を安定させた状態で把持でき、回動操作を容易にできる。また粒状体３を、粒径１．８ｍｍ及び２．０ｍｍのガラス玉としたので、市販品を用いて簡単かつ安価に入手でき製造コストを低減できる。また特に集合工程において、粒径の違いにより、一回の打撃によって内周面上を移動する距離に差を生じさせることができる。従って、粒径毎に色分けをすることにより、点描模様にグラデーションを加えることが可能となる。さらに、粒状体３の所定量Ｗ１の重量に対して液体５の所定量Ｗ２を１１〜１２％の重量としたので最適な粘性で粒状体３を液状化できる。
【００２８】
さらに描画工程によれば、液状化した粒状体３を遊戯者の意志のとおりに内周面上で流動させ、遊戯者の好みの点描模様を内周面上に描く動作形態を得ることができる。よって、模様を描画する際の自由度を向上でき、自由度が高まるだけ動作形態を複雑にできる。また、集合工程によれば、例えば描画工程において内周面上に描画した粒状体３による点描模様を、打撃を加える毎に予期しない模様に徐々に変化させる動作形態を得ることができ、二つと無い独創的な点描模様を打撃回数だけ鑑賞することができる。さらに、落下工程によれば、内周面上に付着していた全ての粒状体３を一撃で底部１１に落下可能な動作形態を得ることができ、その動作形態を体感することによって、爽快感を得ると共にストレスを発散できる。また、繰返し行われることとなる一連の動作形態について、その中に遊戯者の意志とは無関係に必ず行われることとなる面白味に欠ける補助的な動作形態及び単純な動作形態を無くして、遊戯者の興味を長時間維持可能となるような高い遊戯性を切れ目無く連続的に得ることができる。
【００２９】
次に、図３は、本遊具の他の実施形態を示す（ａ）は断面説明図、（ｂ）は蓋体の平面図、（ｃ）は蓋体の底面図である。本遊具２１は、一方の筒端が開放された有底筒形状の収納容器２７と、収納容器２７の開放端を閉じると同時に回動支持用の把持部として機能する蓋体３５とを備えて構成されている。収納容器２７は、図１の収納容器７と同様に、胴部１０、底部１１、及び絞込部１２を有してなり、さらに絞込部１２を介して胴部１０よりも小径の開放筒部３４を備えて構成されている。
【００３０】
蓋体３５は、開放筒部３４の開放面を閉じる円形の平面板３６と、開放筒部３４の外周側面に外側から接触するように平面板３６の全周端から同一高さで立設された側面板３７とによって、開放筒部３４を覆う蓋状に形成されている。蓋体３５は、側面板３７が開放筒部３４の外周側面に螺合して収納容器２７の筒端に着脱可能に設けられ、螺合状態で収納容器２７内を密閉するように構成されている。また、収納容器２７内には、所定量Ｗ１０の粒状体２３と、所定量の液体２５とが封入されている。
【００３１】
蓋体３５には、螺合状態で収納容器２７内を照らす照明手段４１が設けられている。照明手段４１は、電源スイッチ４２と、電源としてのボタン電池４３と、発光源としての複数のＬＥＤ４４と、ＬＥＤ４４の発光パターン等を制御する制御回路部４５と、発光パターンを切り換えるための切換ダイヤル４６と、発光パターンを調整するための調整ダイヤル４７とから構成されている。複数のＬＥＤ４４としては、白色、赤色、緑色及び青色をそれぞれ発光する有色ＬＥＤが４個、人体に無害な紫外線（ＵＶ−Ａ（波長：３１５〜４００ｎｍ））を放射するブラックライトＬＥＤが１個、計５個が使用されている。
【００３２】
照明手段４１の内、ボタン電池４３、５個のＬＥＤ４４及び制御回路部４５は、防水ケース４８に収納されている。防水ケース４８は、蓋体３５よりも一回り小さい中空の円盤状に形成され、その一面側が蓋体３５の平面板３６の内面に固定され、その対向面側が収納容器２７の底部１１へ向くように設けられている。５個のＬＥＤ４４は、それぞれの発光部が収納容器２７内を照らすように、防水ケース４８の対向面側に配設されている。また、切換及び調整ダイヤル４６，４７は、蓋体３５の平面板３６の外面側に配置されている。またボタン電池４３は、蓋体３５の平面板３６に設けられた交換パネル４９を外して、交換可能に防水ケース４８内に収納されている。
【００３３】
図４に示すように、制御回路部４５は、予め設定された複数の点灯パターンを記憶するメモリ部５１と、５個のＬＥＤ４４を点灯駆動するドライバ部５２と、切換ダイヤル４６で選択された点灯パターンをメモリ部５１から読み出し、その順序でドライバ部５２を駆動させ、５個のＬＥＤ４４を点灯させる演算部５３とから構成されている。
【００３４】
粒状体２３は、所定量Ｗ１０となるように、例えば、粒径１．８ｍｍ〜２．０ｍｍのガラス玉（所定量Ｗ１１）と、粒径２．５ｍｍの蛍光玉（所定量Ｗ１２）とが使用され、ガラス玉と蛍光玉とが、重量比２（ガラス玉の所定量Ｗ１１／蛍光玉の所定量Ｗ１２）となるように混合して構成されている。ガラス玉には、その粒色として、遊具１と同様に、赤色、緑色、紫色及び橙色が使用されている。また、蛍光玉には、紫外線の照射によって、黄色、青色、桃色の蛍光色を発光するそれぞれの蛍光材を透明の合成樹脂に混ぜ玉状に形成したものが使用されている。
【００３５】
図１の遊具１と同様に、本遊具２１において、収納容器２７に収納される粒状体２３の所定量Ｗ１０は、胴部１０の筒内側面の面積Ａの半分の面積Ａ／２に対して重なること無く密に敷き詰め可能となることが望ましく、その際に必要となる粒数から換算され重量で表される。本遊具２１では、上述の条件を実現するものであれば、各色の粒数は任意とする。
【００３６】
次に、本遊具２１の一遊戯形態を説明する。本遊具２１は、図２（ａ）〜（ｆ）に示す遊具１の遊戯工程と同様に、描画前の準備工程の後、回動工程、描画工程、集合工程及び落下工程からなる一連の動作形態を繰返し実行するものである。さらに本遊具２１では、一連の動作工程において、照明手段４１の電源スイッチ４２をＯＮして収納容器２７内をＬＥＤ４４で照らすこともできる。
【００３７】
切換ダイヤル４６によるＬＥＤ４４の発光パターンとしては、有色ＬＥＤによる「順次点灯点滅」、「ランダム点灯点滅」、「単色点灯」、「単色点滅」及び「ストロボ点滅」、並びに、ブラックライトＬＥＤによる「点灯」及び「点滅」、全ＬＥＤによる「点灯点滅」等が可能である。また調整ダイヤル４７によって、各発光パターンにおけるＬＥＤ４４の点滅間隔を調整可能である。
【００３８】
例えば、各工程の内、いずれかの工程の後、本遊具２１を両手で持って一定間隔で振り続け、収納容器内で粒状体２３を激しく運動させる。この時に、照明手段４１の切換ダイヤル４６を「ストロボ点滅」パターンに切り換えることによって白色ＬＥＤを一定間隔でストロボ発光させ、調整ダイヤル４７によって点滅間隔を調整する。本遊具２１を振る間隔と白色ＬＥＤの点滅間隔とを同期させることができた場合には、いわゆる粒子のブラウン運動を観察しているかの如き状態で、粒状体２３の運動を一瞬静止させたように鑑賞できる。この場合には、両手で振り続けることで、同時に運動不足を解消可能となる。
【００３９】
以上の如く構成された本遊具２１においては、蓋体３５に収納容器２７内を照らす照明手段４１を設けたので、粒状体２３の挙動や点描模様に色彩変化を加えることができ、各工程の視覚的な興趣を高め、癒しを得ることが可能となる。また、収納容器２７内へ紫外線を照射するブラックライトＬＥＤを備え、粒状体２３として蛍光材を有してなる合成樹脂玉を含むようにしたので、例えば、周囲を暗くした状態で各工程を行えば、趣の異なる神秘的な色合いを楽しむことができる。
【００４０】
尚、本発明は上記実施形態に限定されるものではなく、以下に例示するように、本発明の趣旨を逸脱しない範囲で各部の形状並びに構成を適宜に変更して実施することも可能である。
（１）収納容器７は、胴部１０と同様の構成を備えるものであれば、例えば蜂蜜等の液状食品が収納されていた広口ビンと、広口部に螺着して密閉可能な蓋部とから構成することもでき、この収納容器に粒状体３及び液体５を収納して密封し点描模様描画遊具を構成しても良い。この場合には、専用の収納容器を形成する手間を省き、廃材を利用して簡単且つ安価にできる。
（２）収納容器７は、絞込部１２及び把持部１３を取り除いて、胴部１０の両端を対称形状に形成しても良い。また絞込部１２及び把持部１３を胴部１０の両端に設けても良い。（３）収納容器７は、無色透明ガラスに限らず、透明な胴部１０を形成可能であれば、いわゆるＰＥＴ等の合成樹脂材料や色付き材料等から構成しても良い。
（４）収納容器７は、筒形状に限らず、球形状等の他の形状に形成しても良い。
（５）粒状体３の所定量Ｗ１及び液体５の所定量Ｗ２は、所定の粘性で粒状体３を液状化させるものであれば、他の量としても良い。
（６）粒状体３は、ガラス材料に限らず、液体５と加わることによって所定の粘性で液状化されるものであれば、樹脂材料等の他の材料からなるものを用いて構成可能である。
（７）粒状体３は、他の粒色や粒色種類数で、また他の粒径や粒径種類数で構成し、夫々任意の粒数の配分比率で構成しても良い。
（８）粒状体３は、球形に限らず、三角錐形や直方体等の多面体形、ラグビーボール形、俵形等の他の形状で構成しても良い。
（９）粒状体３は、不均一な粒径に限らず、均一な粒径で構成しても良い。
（１０）液体５は、無色透明な水道水に限らず、所定の粘性で粒状体３を液状化させるものであれば、他の液体や色付き水等を用いても良い。
（１１）一連の動作形態は、回動工程→描画工程→集合工程→落下工程の順序に限らず、例えば描画工程の後に集合工程を省いてすぐに落下工程を行う等、順序を替えて行っても良い。
（１２）本遊具は、筒端側に収納容器を吊り下げる吊下部を設けて構成しても良い。この場合には、持ち運びが容易になることはもちろん、例えば吊下部を手首に巻いた状態で本遊具の一連の動作形態等を行うことができ、不注意による本遊具の落下を防止可能となる。加えて、例えば部屋の中では、天井から吊り下げることが可能となり、照明手段を動作させれば、部屋等、周囲の雰囲気を変化させる補助的な照明器具としての使用が可能となる。また、吊下部を両筒端側に設けた場合には、数珠つなぎ状に複数の本遊具を吊り下げることができる。さらに、本遊具の全体を小型化することで、いわゆるアクセサリーとしてカバンや携帯電話等に吊り下げて持ち運びができ、また首からぶら下げることができる。
（１３）蓋体は、照明手段を設けたものに限らず、照明手段を設けずに平面板と側面板とのみからなるように構成しても良い。すなわち、蓋体として照明手段を設けたものと無いものの両タイプの蓋体を予め用意しておけば、照明手段の有無について遊戯者による選択が可能となる。
（１４）蛍光玉は、蛍光材を他の基材に混ぜ込んだり、ガラス玉や合成樹脂玉等の表面に塗布して構成しても良い。
【図面の簡単な説明】
【００４１】
【図１】本発明に係る点描模様描画遊具の一実施形態を示す斜視説明図である。
【図２】図１の遊具の遊戯工程説明図である。
【図３】本発明に係る点描模様描画遊具の他の実施形態を示す（ａ）は断面説明図、（ｂ）は蓋体の平面図、（ｃ）は蓋体の底面図である。
【図４】照明手段を示す構成図である。
【符号の説明】
【００４２】
１，２１・・点描模様描画遊具、３，２３・・粒状体、５，２５・・液体、７，２７・・収納容器、１０・・胴部、１１・・底部、１２・・絞込部、１３・・把持部、３５・・蓋体、４１・・照明手段、Ａ・・内周面の面積、Ｄ・・筒内径、Ｌ・・筒長さ、Ｗ１・・粒状体の所定量、Ｗ２・・液体の所定量。
【図１】
2006055636.tif 000004
【図２】
2006055636.tif 000005
【図３】
2006055636.tif 000006
【図４】
2006055636.tif 000007